(57)【要約】      （修正有）【課題】ブラウザ−ログインマッピングを介したターゲットインベントリ拡張方法およびシステムを提供する。【解決手段】ブラウザクッキー情報とログインクッキー情報をマッピングしたブラウザ−ログインマッピング情報を記録するユーザプロフィールデータベースと、ウェブブラウザの接続を認知し、接続したウェブブラウザのブラウザクッキー情報をユーザ形態サーバに伝達する広告サーバと、広告サーバからブラウザクッキー情報を受信し、ユーザプロフィールデータベースからブラウザクッキー情報に対応するブラウザ−ログインマッピング情報を識別し、識別されたブラウザ−ログインマッピング情報からユーザプロフィール情報を識別して広告サーバに伝達するユーザ形態サーバとを含み、広告サーバは、ユーザプロフィール情報と連関した広告データをウェブページ上にディスプレイする。【選択図】図２
2011258212.tif 000002
【特許請求の範囲】
【請求項１】
ユーザプロフィールデータベースと、広告サーバと、ユーザ形態サーバと、を含むシステムを用いる広告方法であり、
ユーザのブラウザが前記広告サーバに接続すると前記広告サーバは前記ブラウザを識別するクッキー情報であるブラウザクッキー情報を前記ブラウザに付与し、
前記広告サーバは、前記ユーザが前記ブラウザから前記広告サーバにログインする際に前記ユーザから入力される情報であるログインクッキー情報を前記ログインクッキー情報とともにログに記録し、
前記ユーザ形態サーバは、前記ログの分析によりブラウザクッキー情報とログインクッキー情報とを前記ユーザのユーザプロフィール情報にマッピングしたブラウザ−ログインマッピング情報を前記ユーザプロフィールデータベースに記録し、
その後、前記ユーザが前記広告サーバにログインしていない状態において、前記広告サーバが前記ブラウザの接続を認知すると、
前記広告サーバが前記ブラウザのブラウザクッキー情報を前記ユーザ形態サーバに送信し、
前記ユーザ形態サーバが前記広告サーバの送信した前記ブラウザのクッキー情報に対応する前記ブラウザ−ログインマッピング情報のユーザプロフィール情報を前記広告サーバに送信し、
前記広告サーバが前記ユーザ形態サーバの送信した前記ユーザプロフィール情報と連関した広告データを前記ブラウザに提供することを含む広告方法。
【請求項２】
前記ブラウザ−ログインマッピング情報は、一定の時間内に前記ログに記録されたブラウザクッキー情報とログインクッキー情報を分析して生成されることを特徴とする請求項１に記載の広告方法。
【請求項３】
前記ブラウザクッキー情報は、ユーザが削除したときには前記広告サーバにより再発行されることを特徴とする請求項１または２に記載の広告方法。
【請求項４】
前記広告サーバは、前記広告サーバが前記ブラウザの接続を認知し前記ブラウザのログインクッキー情報を識別し、前記ブラウザが前記広告サーバに接続したことがあると認識すると、特別な広告データを前記ブラウザに提供することを特徴とする請求項１から３のいずれかに記載の広告方法。
【請求項５】
ユーザプロフィールデータベースと、広告サーバと、ユーザ形態サーバと、を含むシステムであり、
前記広告サーバは、
ユーザのブラウザが前記広告サーバに接続すると前記ブラウザを識別するクッキー情報であるブラウザクッキー情報を前記ブラウザに付与し、
前記ユーザが前記ブラウザから前記広告サーバにログインする際に前記ユーザから入力される情報であるログインクッキー情報を前記ログインクッキー情報とともにログに記録し、
前記ユーザ形態サーバは、
前記ログの分析によりブラウザクッキー情報とログインクッキー情報とを前記ユーザのユーザプロフィール情報にマッピングしたブラウザ−ログインマッピング情報を前記ユーザプロフィールデータベースに記録し、
前記ユーザが前記広告サーバにログインしていない状態において、前記広告サーバが前記ブラウザの接続を認知すると、
前記広告サーバは、前記ブラウザのブラウザクッキー情報を前記ユーザ形態サーバに送信し、
前記ユーザ形態サーバは、前記広告サーバの送信した前記ブラウザのクッキー情報に対応する前記ブラウザ−ログインマッピング情報のユーザプロフィール情報を前記広告サーバに送信し、
前記広告サーバは、前記ユーザ形態サーバの送信した前記ユーザプロフィール情報と連関した広告データを前記ブラウザに提供することを特徴とする広告システム。
【請求項６】
前記ブラウザ−ログインマッピング情報は、一定の時間内に前記ログに記録されたブラウザクッキー情報とログインクッキー情報を分析して生成されることを特徴とする請求項５に記載の広告システム。
【請求項７】
前記ブラウザクッキー情報は、ユーザが削除したときには前記広告サーバにより再発行されることを特徴とする請求項５または６に記載の広告システム。
【請求項８】
前記広告サーバは、前記広告サーバが前記ブラウザの接続を認知し前記ブラウザのログインクッキー情報を識別し、前記ブラウザが前記広告サーバに接続したことがあると認識すると、特別な広告データを前記ブラウザに提供することを特徴とする請求項５から７のいずれかに記載の広告システム。
【発明の詳細な説明】
【技術分野】
【０００１】
本発明は、ブラウザクッキー情報とログインクッキー情報を事前にマッピングしてブラウザ−ログインマッピング情報として記録し、このブラウザ−ログインマッピング情報から広告サーバに接続したウェブブラウザのユーザプロフィール情報を識別し、識別されたユーザプロフィール情報と連関して特定のユーザのみに露出するターゲット広告を提供するブラウザ−ログインマッピングを介したターゲットインベントリ拡張方法及びシステムに関する。
【背景技術】
【０００２】
広告（ａｄｖｅｒｔｉｓｉｎｇ）とは、辞書上の意味として、企業、個人、または団体が、商品、サービス、理念、政策などを世間に知らせ、所期の目的を得るために投資する情報活動を指すものである。このような広告は、テレビ、ラジオ、インターネットなどのマスメディアを通じて文章、絵、音声などで提供され、人々に商品やサービスなどを効果的に広報することができる。
【０００３】
このようなマスメディアのうち、インターネットは、利用者が所望する情報を得るために利用される場合が大部分であり、利用者からの質疑語の入力だけで情報を提供することができるだけでなく、これに連関した広告データも共に提供することができ、広告効果を極大化できるという長所がある。これにより、広告主が広告データを露出する最適な場所であるとして高い注目を集めている。
【０００４】
インターネットを通じた広告方法のうち、利用者の接続が多い検索ポータルサイトは、ウェブページの広告領域に複数の広告データをローリングしながら露出したり、ユーザが入力した質疑語と連関した特定の広告データを露出するという方式を用いて広告データを提供している。しかしながら、このような方法は、商品又はサービスに対して各々相違する複数の広告データで露出されるため、利用者の注目度を高めることができない上に、ユーザが入力した質疑語のみを対象として広告データを露出するため、ユーザから質疑語が入力されなければ広告データが露出されないという問題点がある。
【０００５】
このような問題点を解決するために、検索ポータルサイトは、ユーザの性向や特性などを把握した上で、ユーザ別の個人向け広告データを提供するターゲット広告方法を用いているが、このようなターゲット広告方法を用いるためには、ユーザの性向を把握することができる情報を収集する必要がある。ユーザの情報を収集するための方法として、ログインしたユーザを対象としてユーザのプロフィール情報を識別することでユーザの情報を収集することができた。しかしながら、検索ポータルサイトの特性上、ユーザがログインする割合（２０％以下）は高くはなく、ユーザのプロフィール情報を収集するのは簡単ではないという問題点を抱えている。
【発明の概要】
【発明が解決しようとする課題】
【０００６】
本発明は、上述した従来技術の問題点を解決するために案出されたものであって、ブラウザクッキー情報とログインクッキー情報をマッピングしたブラウザ−ログインマッピング情報を事前に記録し、このブラウザ−ログインマッピング情報から広告サーバに接続したウェブブラウザのユーザプロフィール情報を識別する。そして、識別されたユーザプロフィール情報と連関した特定の広告データを提供することで、ターゲット広告の効果を極大化することができるブラウザ−ログインマッピングを介したターゲットインベントリ拡張方法及びそのシステムを提供することを目的とする。
【０００７】
また、一定の時間内にログに記録されたブラウザクッキー情報とログインクッキー情報を分析し、各ユーザプロフィール情報と連関したブラウザ−ログインマッピング情報を生成することで、今後にユーザがログインせずに広告サーバに接続した場合でも、生成されたブラウザ−ログインマッピング情報を用いてユーザに適合する個人向け広告データをディスプレイでき、ターゲットインベントリ（ｉｎｖｅｎｔｏｒｙ）を拡張できるブラウザ−ログインマッピングを介したターゲットインベントリ拡張方法及びそのシステムを提供することを他の目的とする。
【課題を解決するための手段】
【０００８】
前記の目的を達成し、上述した従来技術の問題点を解決するために、本発明の一実施形態に係るターゲット広告システムは、ブラウザクッキー情報とログインクッキー情報をマッピング（ｍａｐｐｉｎｇ）したブラウザ−ログインマッピング情報を記録するユーザプロフィールデータベースと、ウェブブラウザの接続を認知し、前記ウェブブラウザのブラウザクッキー情報をユーザ形態サーバに伝達する広告サーバと、前記広告サーバから前記ブラウザクッキー情報を受信し、前記ユーザプロフィールデータベースから前記ブラウザクッキー情報に対応するブラウザ−ログインマッピング情報を識別し、前記ブラウザ−ログインマッピング情報からユーザプロフィール情報を識別して前記広告サーバに伝達するユーザ形態サーバとを含み、前記広告サーバは、前記ユーザプロフィール情報と連関した広告データをウェブページ上にディスプレイすることを特徴とする。
【０００９】
また、本発明の他の実施形態に係るターゲット広告方法は、ブラウザクッキー情報とログインクッキー情報をマッピングしたブラウザ−ログインマッピング情報をユーザプロフィールデータベースに記録する段階と、広告サーバでウェブブラウザの接続を認知し、前記ウェブブラウザのブラウザクッキー情報をユーザ形態サーバに伝達する段階と、ユーザ形態サーバで前記広告サーバから前記ブラウザクッキー情報を受信し、前記ユーザプロフィールデータベースから前記ブラウザクッキー情報に対応するブラウザ−ログインマッピング情報を識別する段階と、前記ユーザ形態サーバで前記ブラウザ−ログインマッピング情報からユーザプロフィール情報を識別して前記広告サーバに伝達する段階と、前記広告サーバで前記ユーザプロフィール情報と連関した広告データをウェブページ上にディスプレイする段階とを含むことを特徴とする。
【発明の効果】
【００１０】
本発明によれば、ブラウザクッキー情報とログインクッキー情報をマッピングしたブラウザ−ログインマッピング情報を事前に記録し、このブラウザ−ログインマッピング情報から広告サーバに接続したウェブブラウザのユーザプロフィール情報を識別する。そして、識別されたユーザプロフィール情報と連関した特定の広告データを提供するので、ターゲット広告の効果を極大化することができる効果がある。
【００１１】
また、本発明によれば、一定の時間内にログに記録されたブラウザクッキー情報とログインクッキー情報を分析し、各ユーザプロフィール情報と連関したブラウザ−ログインマッピング情報を生成する。このため、以後、ユーザがログインせずに広告サーバに接続した場合でも、ブラウザ−ログインマッピング情報を用いてユーザに適合する個人向け広告データをディスプレイすることができ、ターゲットインベントリを確張することができる効果がある。
【図面の簡単な説明】
【００１２】
【図１】本発明に係るターゲット広告システムのネットワーク連結を示した図である。
【図２】本発明の一実施形態において、ターゲット広告システムの構成を示したブロック図である。
【図３】本発明の他の実施形態において、ユーザプロフィールデータベースの構築方法を示したフローチャートである。
【図４】本発明のさらに他の実施形態において、ターゲット広告方法を示したフローチャートである。
【図５】本発明に係るユーザプロフィールデータベースの一例を示した図である。
【図６】本発明に係る広告データベースの一例を示した図である。
【発明を実施するための形態】
【００１３】
以下、添付の図面を参照しながら、本発明に係るクッキー情報を用いたターゲット広告方法およびシステムについて詳しく説明する。
【００１４】
図１は、本発明に係るターゲット広告システムのネットワーク連結を示した図である。
【００１５】
ウェブブラウザ１１０は、ワールドワイドウェブ（Ｗｏｒｌｄ Ｗｉｄｅ Ｗｅｂ）にアクセスしてすべての情報を閲覧できるようにする応用プログラムであって、「ブラウザ」とも呼ばれる。
【００１６】
広告サーバ１２０は、ウェブページ上に広告データを提供するサーバであって、ユーザプロフィール情報別に分類された広告データを広告データベースに維持する。広告サーバ１２０は、ウェブブラウザ１１０の接続を認知（検出）し、接続したウェブブラウザ１１０に各ブラウザを識別するための識別子であるブラウザクッキー情報を付与する。
【００１７】
また、広告サーバ１２０は、ログインしたユーザから情報要請を受信した場合に、このユーザのログインクッキー情報のユーザプロフィール情報を識別する。ここで、ユーザプロフィール情報とは、デモグラフィックの分類体系に属する各ユーザ情報であって、性別、年齢、地域などの情報である。広告サーバ１２０は、ブラウザクッキー情報とログインクッキー情報をログに記録することができる。
【００１８】
ユーザ形態サーバ１３０は、ログ分析を介してブラウザクッキー情報とログインクッキー情報をマッピングしたブラウザ−ログインマッピング情報をユーザプロフィールデータベース１４０に記録する。ユーザ形態サーバ１３０は、ブラウザ−ログインマッピング情報を用いてユーザプロフィール情報を確認することができる。
【００１９】
広告サーバ１２０は、当該広告サーバ１２０に接続したウェブブラウザ１１０、１１０ａ、１１０ｂのユーザに適合する個人向け広告データを提供するために、ユーザのプロフィール情報を知る必要がある。したがって、広告サーバ１２０は、ウェブブラウザ１１０、１１０ａ、１１０ｂのブラウザクッキー情報を確認（識別）してユーザ形態サーバ１３０に送信する。
【００２０】
ユーザ形態サーバ１３０は、広告サーバ１２０からブラウザクッキー情報を受信し、ユーザプロフィールデータベース１４０から受信したブラウザクッキー情報に対応するブラウザ−ログインマッピング情報のユーザプロフィール情報を識別する。ユーザ形態サーバ１３０は、識別されたユーザプロフィール情報を広告サーバ１２０に伝達する。
【００２１】
広告サーバ１２０は、ユーザ形態サーバ１３０からユーザプロフィール情報を受信し、受信されたユーザプロフィール情報と連関した広告データをウェブページ上にディスプレイする。広告サーバ１２０は、広告データベースからユーザプロフィール情報と連関した広告データを識別（及び取得）することができる。
【００２２】
このように、本発明によれば、ブラウザ−ログインマッピング情報を事前に記録し、これを用いて広告サーバに接続したウェブブラウザのユーザプロフィール情報を識別し、識別されたユーザプロフィール情報と連関した特定の広告データを提供することで、ターゲット広告の効果を極大化することができる。
【００２３】
図２は、本発明の一実施形態において、ターゲット広告システムの構成を示したブロック図である。
【００２４】
ターゲット広告システム２００は、ブラウザクッキー情報とログインクッキー情報をマッピングしたブラウザ−ログインマッピング情報を記録するユーザプロフィールデータベース２０５と、ウェブブラウザ２０１の接続を認知し、接続したウェブブラウザ２０１のブラウザクッキー情報をユーザ形態サーバ２０４に伝達する広告サーバ２０２と、広告サーバ２０２からブラウザクッキー情報を受信し、ユーザプロフィールデータベース２０５から受信したブラウザクッキー情報に対応するブラウザ−ログインマッピング情報を識別し、識別されたブラウザ−ログインマッピング情報のユーザプロフィール情報を抽出して広告サーバ２０２に伝達するユーザ形態サーバ２０４とを含んでいる。このとき、広告サーバ２０２は、ユーザプロフィール情報と連関した広告データをウェブページ上にディスプレイする。
【００２５】
また、本実施形態の広告サーバ２０２は、各ユーザプロフィール情報と連関した広告データを記録する広告データベース２０３を含むことができる。広告サーバ２０２は、特定のユーザをターゲットにする広告データを提供するために、各ユーザの特性に対するユーザプロフィール情報と連関して広告データを記録することができる。
【００２６】
また、広告サーバ２０２は、当該広告サーバ２０２に接続したウェブブラウザ２０１それぞれにウェブブラウザを識別することができるブラウザクッキー情報を付与し、また、ログインしたユーザから情報要請が受信された場合に、ログインした当該ユーザのログインクッキー情報を識別する。ここで、ログインクッキー情報とは、ブラウザクッキー情報と組み合わせてブラウザ−ログインマッピング情報を生成する情報である。ブラウザ−ログインマッピング情報は、ユーザのプロフィール情報であって、例えば、性別、年齢、地域などの情報、に対応する情報である。広告サーバ２０２は、このように識別されたブラウザクッキー情報とログインクッキー情報をログに記録する。
【００２７】
さらに本実施形態のユーザ形態サーバ２０４は、広告サーバ２０２によって記録されたログ分析を介してブラウザクッキー情報とログインクッキー情報をマッピングさせてブラウザ−ログインマッピング情報を生成し、生成されたブラウザ−ログインマッピング情報をユーザプロフィールデータベース２０５に記録する。ユーザ形態サーバ２０４は、広告サーバ２０２から受信するブラウザクッキー情報を用いてブラウザ−ログインマッピング情報を参照し、対応するユーザプロフィール情報を確認することができる。
【００２８】
図３は、本実施形態のユーザプロフィールデータベースの構築方法を示したフローチャートである。本実施形態に係るユーザプロフィールデータベースの構築方法は、図２で示したようなターゲット広告システム２００によって実行される。
【００２９】
段階Ｓ３０１で、ウェブブラウザ２０１は、ユーザの要請に基づいて広告サーバ２０２に接続する。ユーザは、インターネットの接続が可能なすべての端末機を用いることができ、ウェブブラウザ２０１を通じて広告サーバ２０２に接続することができる。
【００３０】
段階Ｓ３０２で、広告サーバ２０２は、ウェブブラウザ２０１の接続を認知し、自分に接続したウェブブラウザ２０１にブラウザクッキー情報を付与する。ここで、ブラウザクッキーとは、広告サーバ２０２に接続したブラウザの特異性（ｕｎｉｑｕｅｎｅｓｓ）を識別するために発行される値（情報）であって、ウェブブラウザに１度だけ発行され、ユーザがクッキーを削除したときは、再発行される。つまり、広告サーバ２０２は、自分に初めて接続したウェブブラウザ２０１と連関して１度だけブラウザクッキー情報を発行することができ、また、ユーザが広告サーバ１２０に対するクッキー情報を削除したときには再発行も可能である。このようなブラウザクッキー情報は、広告サーバ１２０に接続したウェブブラウザ２０１を識別するための識別子であって、広告サーバ２０２は、自分に接続したウェブブラウザ２０１のブラウザクッキー情報を識別することで、自分に一度でも接続したウェブブラウザ２０１のユーザのみに特別な広告データを提供することができる。
【００３１】
段階Ｓ３０３で、ウェブブラウザ２０１は、ユーザから入力されたユーザＩＤとパスワードを用いて認証サーバを経てログインする。ログインしたユーザが広告サーバ２０２に接続すると、広告サーバ２０２は、ログインクッキーからユーザの年齢、性別、地域などのユーザプロフィール情報を識別してユーザプロフィールデータベース２０５に記録することができる。
【００３２】
なお、本実施形態のユーザプロフィール情報は、デモグラフィックの分類体系に属する各ユーザ情報である。ここで、デモグラフィックとは、性別、年齢、所得水準、結婚可否、地政学的位置、職業などに基づき、対象母集団の人口がどのように分類されてどのような集団に属するのかを決める人口統計学的な属性を意味するものである。したがって、広告サーバ２０２は、このようなデモグラフィックをユーザ別の個人向け広告データを提供するのに用いることができる。
【００３３】
段階Ｓ３０４で、広告サーバ２０２は、ログインしたユーザのログインクッキー情報を識別（取得）する。ここで、ログインクッキー情報とは、ブラウザクッキー情報と組み合わせて後述のブラウザ−ログインマッピング情報を生成する情報である。ブラウザ−ログインマッピング情報は、ユーザＩＤ、年齢、性別、地域などのユーザプロフィール情報に対応する情報である。したがって、広告サーバ２０２は、このユーザプロフィール情報を用いて、例えば、「２０代の女性」を狙って、ダイエット、ミニスカート、肌管理などと連関した広告データを提供したり、「１０代」を狙って、ＳＳ５０１や東方神妙などが出演するコンサートの広告データを提供したりする。このためには、現在接続しているユーザの年齢、関心事項、主に活動する地域などの情報が必要となるが、当該広告サーバ２０２は、このような広告に必要な情報をユーザプロフィール情報から得ることができる。なお、ログインクッキー情報は、ユーザがログインする際に、又はログインするための事前認証処理として、ユーザから入力される情報である。
【００３４】
段階Ｓ３０５で、広告サーバ２０２は、ウェブブラウザ２０１に付与したブラウザクッキー情報とログインクッキー情報をログに記録することができる。本実施形態によれば、検索ポータルサイトなどのウェブサイトの特性上、ユーザがログインする割合は高くはないが、少なくとも１度ログインする確率は高い。したがって、広告サーバ２０２は、ユーザがログインを実行するときに、ログインしたユーザのログインクッキー情報（ブラウザクッキー情報と組み合わせてユーザプロフィール情報に対応する情報）をウェブブラウザ２０１のブラウザクッキー情報と共にログに記録することができる。
【００３５】
段階Ｓ３０６で、ユーザ形態サーバ２０４は、ログ分析を介してブラウザクッキー情報とログインクッキー情報をマッピングさせ（ブラウザクッキー情報とユーザのログインクッキー（ブラウザクッキー情報と組み合わせてユーザプロフィール情報に対応する情報）情報とを関連付け）、これをユーザプロフィールデータベース２０５に保存する。本実施形態によれば、ユーザ形態サーバ２０４は、一定の時間内にログに記録されたブラウザクッキー情報とログインクッキー情報を分析してブラウザ−ログインマッピング情報を生成することができる（図５参照）。例えば、日別または月別によってログに記録されたブラウザクッキー情報とログインクッキー情報に基づいたブラウザ−ログインマッピング情報を生成することができる。
【００３６】
このように、本発明によれば、ブラウザ−ログインマッピング情報を用い、ユーザがログインをしなくても広告サーバに接続したユーザのウェブブラウザと連関したブラウザクッキー情報からユーザのユーザプロフィール情報を得ることができる。
【００３７】
図４は、本発明のさらに他の実施形態において、ターゲット広告方法を示したフローチャートである。
【００３８】
段階Ｓ４０１で、ユーザ形態サーバ２０４のユーザプロフィールデータベース２０５は、ユーザプロフィール情報を記録して維持する。
【００３９】
図５は、本発明に係るユーザプロフィールデータベースの一例を示した図である。
【００４０】
図５に示すように、ユーザプロフィールデータベース２０５は、ブラウザ−ログインマッピング情報とユーザプロフィール情報とを保存する。ここで、ブラウザ−ログインマッピング情報とは、ブラウザクッキー情報とログインクッキー情報をマッピングして生成された情報であって、ブラウザクッキー情報とログインクッキー情報を組み合わせて生成することができる。例えば、ブラウザ−ログインマッピング情報（ブラウザクッキー情報とログインクッキー情報を組み合わせて生成された情報）が「Ｂ１００００００００１−ｃｈｍ１１２」であり、これに対応するユーザプロフィール情報が「年齢（２５）、性別（女）、地域（ソウル）」などである情報を含むことができる。
【００４１】
したがって、ユーザ形態サーバ２０４は、広告サーバ２０２から受信されたブラウザクッキー情報に対応するユーザプロフィール情報を、ブラウザ−ログインマッピング情報に基づいて識別し、該当するユーザプロフィール情報を広告サーバ２０２に送信することができる。
【００４２】
図６は、本発明に係る広告データベースの一例を示した図である。
【００４３】
図６に示されたように、広告データベース２０３は、年齢（１０代、２０代、３０代など）、性別（女性、男性）、地域（ソウル、京幾、仁川など）などの各ユーザプロフィール情報と連関して広告データを記録することができる。例えば、広告データベース２０３は、「３０代女性」には、育児、食べ物と連関した広告データを記録することができ、「３０代男性」には、貯金、財テクと連関した広告データを記録することができる。本発明の実施形態において、「貯金」と連関した広告データとしては、銀行サイト、保険サイト、貯金に関する本や動画やテキストなどを提供することができる。
【００４４】
段階Ｓ４０２で、ウェブブラウザ２０１は、広告サーバ２０２に接続し、段階Ｓ４０３で、広告サーバ２０２は、接続したウェブブラウザ２０１のブラウザクッキー情報をユーザ形態サーバ２０４に伝達する。広告サーバ２０２は、自分に接続したウェブブラウザ２０１のユーザに適合するターゲット広告データを提供するために、ブラウザクッキー情報をユーザ形態サーバ２０４に伝達することで、ユーザ形態サーバ２０４からユーザのユーザプロフィール情報を受信することができる。
【００４５】
段階Ｓ４０４で、ユーザ形態サーバ２０４は、広告サーバ２０２からブラウザクッキー情報を受信し、ユーザプロフィールデータベース２０５からブラウザクッキー情報に対応するブラウザ−ログインマッピング情報を識別する。ユーザ形態サーバ２０４は、識別されたブラウザ−ログインマッピング情報に対応するユーザプロフィール情報を広告サーバ２０２に送信する。
【００４６】
段階Ｓ４０５で、広告サーバ２０２は、ユーザ形態サーバ２０４からユーザプロフィール情報を受信し、広告データベース２０３からユーザプロフィール情報と連関した広告データを識別してウェブページ上にディスプレイする。
【００４７】
また、本発明によれば、デモグラフィック分類体系に属する各ユーザプロフィール情報と連関して各広告データを記録することで、各ユーザの性別、地域、年齢に適合する広告データをディスプレイすることができる。
【００４８】
なお、本発明に係るブラウザ−ログインマッピングを介したターゲットインベントリ拡張方法は、コンピュータにより具現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００４９】
以上、本発明を好ましい実施形態に則して説明したが、本発明の技術分野において熟練した当業者にとっては、特許請求の範囲に記載された本発明の技術的思想及びその領域から逸脱しない範囲内で、本発明を多様に修正及び変更させることができることを理解することができるであろう。すなわち、本発明の技術的範囲は、特許請求の範囲に基づいて定められ、発明を実施するための最良の形態により制限されるものではない。
【符号の説明】
【００５０】
２００：ターゲット広告システム
２０１：ウェブブラウザ
２０２：広告サーバ
２０３：広告データベース
２０４：ユーザ形態サーバ
２０５：ユーザプロフィールデータベース
【図１】
2011258212.tif 000003
【図２】
2011258212.tif 000004
【図３】
2011258212.tif 000005
【図４】
2011258212.tif 000006
【図５】
2011258212.tif 000007
【図６】
2011258212.tif 000008